(57)【要約】【課題】ユーザが入力デバイスに対して行った操作を長押し操作として受け付けたのか短押し操作として受け付けたのかを、ユーザが容易に把握できるようにする携帯端末装置を提供する。【解決手段】携帯端末装置１は、入力デバイス２に対する操作を検知すると操作信号を出力する入力検知手段３と、入力検知手段３が操作信号を出力している期間が所定期間以上である場合に長期間操作が行われたと判定し、所定期間を超えていない場合には短期間操作が行われたと判定する操作判定手段４と、操作判定手段４が長期間操作が行われたと判定した場合に、通知手段５を所定の第１期間動作させ、操作判定手段４が短期間操作が行われたと判定した場合に、通知手段５を第１期間より短い所定の第２期間動作させることにより通知を行うユーザ通知手段６とを備えている。【選択図】図５
2014239548.tif 000002
【特許請求の範囲】
【請求項１】
入力デバイスに対する操作を検知すると操作信号を出力する入力検知手段と、
前記入力検知手段が操作信号を出力している期間が所定期間以上である場合に長期間操作が行われたと判定し、所定期間を超えていない場合には短期間操作が行われたと判定する操作判定手段と、
前記操作判定手段が長期間操作が行われたと判定した場合に、通知手段を所定の第１期間動作させ、前記操作判定手段が短期間操作が行われたと判定した場合に、前記通知手段を前記第１期間より短い所定の第２期間動作させることにより通知を行うユーザ通知手段とを
備えたことを特徴とする携帯端末装置。
【請求項２】
通知手段は振動デバイスを含み、
ユーザ通知手段は、操作判定手段が長期間操作が行われたと判定した場合に、前記振動デバイスを第１期間振動させ、前記操作判定手段が短期間操作が行われたと判定した場合に、前記振動デバイスを第２期間振動させる
請求項１記載の携帯端末装置。
【請求項３】
通知手段は振動デバイスを含み、
ユーザ通知手段は、操作判定手段が長期間操作が行われたと判定した場合と短期間操作が行われたと判定した場合とで、振動デバイスの振動態様を異ならせる
請求項１または請求項２記載の携帯端末装置。
【請求項４】
通知手段は発光デバイスを含み、
ユーザ通知手段は、操作判定手段が長期間操作が行われたと判定した場合に、前記発光デバイスを第１期間発光させ、前記操作判定手段が短期間操作が行われたと判定した場合に、前記発光デバイスを第２期間発光させる
請求項１から請求項３のうちいずれか１項に記載の携帯端末装置。
【請求項５】
通知手段は発光デバイスを含み、
ユーザ通知手段は、操作判定手段が長期間操作が行われたと判定した場合と短期間操作が行われたと判定した場合とで、発光デバイスの発光態様を異ならせる
請求項１から請求項４のうちいずれか１項に記載の携帯端末装置。
【請求項６】
入力デバイスはタッチパネルまたはタッチセンサである
請求項１から請求項５のうちのいずれか１項に記載の携帯端末装置。
【請求項７】
入力デバイスに対する操作を検知すると操作信号を出力し、
操作信号を出力している期間が所定期間以上である場合に長期間操作が行われたと判定し、所定期間を超えていない場合には短期間操作が行われたと判定し、
長期間操作が行われたと判定した場合に、通知手段を所定の第１期間動作させ、短期間操作が行われたと判定した場合に、前記通知手段を前記第１期間より短い所定の第２期間動作させることにより通知を行う
ことを特徴とする操作通知方法。
【請求項８】
長期間操作が行われたと判定した場合に、通知手段としての振動デバイスを第１期間振動させ、短期間操作が行われたと判定した場合に、前記振動デバイスを第２期間振動させる
請求項７記載の操作通知方法。
【請求項９】
携帯端末装置に搭載されたコンピュータに、
入力デバイスに対する操作を検知すると操作信号を出力する処理と、
操作信号を出力している期間が所定期間以上である場合に長期間操作が行われたと判定し、所定期間を超えていない場合には短期間操作が行われたと判定する処理と、
長期間操作が行われたと判定した場合に、通知手段を所定の第１期間動作させ、短期間操作が行われたと判定した場合に、前記通知手段を前記第１期間より短い所定の第２期間動作させることにより通知を行う処理とを
実行させるための操作通知プログラム。
【請求項１０】
コンピュータに、
通知を行う処理で、長期間操作が行われたと判定した場合に、通知手段としての振動デバイスを第１期間振動させ、短期間操作が行われたと判定した場合に、前記振動デバイスを第２期間振動させる
請求項９記載の操作通知プログラム。
【発明の詳細な説明】
【技術分野】
【０００１】
本発明は、長押し操作による入力機能を有する携帯端末装置、操作通知方法および操作通知プログラムに関する。
【背景技術】
【０００２】
昨今の携帯電話端末には、入力デバイスとして、押下することなく触れるだけでユーザが入力を行うことができるタッチパネルまたはタッチセンサを搭載しているものがある。タッチパネルまたはタッチセンサを利用することによって、キー入力の効率を向上させ、使い勝手をよくすることができる。さらに、モータや圧電素子を用いたバイブレータ等の振動デバイスを内蔵し、操作が行われると、振動デバイスを振動させることによって、ユーザに操作が行われたことを認識させる機能が搭載されている携帯電話端末がある。
【０００３】
特許文献１には、通常の操作キーとは別にシフトキーを設けることによって、キー入力の効率を向上させる携帯端末装置が記載されている。特許文献１に記載された携帯端末装置を使用するユーザは、通常の操作キーを押下しながらシフトキーを長押しまたは短押しする。また、特許文献２に記載された携帯情報装置は、タッチパネルにおけるタッチ操作が行われた場所に応じて振動子の振動パターンを変化させる。
【先行技術文献】
【特許文献】
【０００４】
【特許文献１】特開２００３−３３３１５７号公報（段落００１１−００１５、段落００２２）
【特許文献２】特開２００７−１１５１５７号公報（段落００３３−００３６、段落００４５−００４６）
【発明の概要】
【発明が解決しようとする課題】
【０００５】
しかし、特許文献１に記載された携帯端末装置では、ユーザがシフトキーに対して行った操作が、長押し操作と短押し操作のどちらで携帯端末装置に受け付けられたのかユーザには分かりにくい。長押し操作と短押し操作とを間違って操作したことにユーザが気付かない場合には、却ってキー入力の効率を下げるおそれがある。
【０００６】
また、特許文献２に記載された携帯情報装置は、タッチパネルにおけるタッチ操作の局所的な位置を振動の形態上の差異（キークリック感の差異）によってユーザに認識させることを目的としてタッチ操作に対応した振動制御を行う。しかし、特許文献２に記載された発明の目的は、タッチ操作の種類（長押し操作／短押し操作）をユーザに認識させることではない。
【０００７】
そこで、本発明は、ユーザが入力デバイスに対して行った操作が長押し操作として受け付けられたのか短押し操作として受け付けられたのかを、ユーザが容易に把握できるようにする携帯端末装置、操作通知方法および操作通知プログラムを提供することを目的とする。
【０００８】
なお、本明細書では、タッチパネルやタッチセンサといった触れるだけで操作を行うことができるような入力デバイスを対象にする場合には、入力デバイスに指などが触れている期間が所定期間以上である操作を長押し操作とする。また、入力デバイスに指などが触れている期間が所定期間未満である場合の操作を短押し操作とする。
【課題を解決するための手段】
【０００９】
本発明による携帯端末装置は、入力デバイスに対する操作を検知すると操作信号を出力する入力検知手段と、入力検知手段が操作信号を出力している期間が所定期間以上である場合に長期間操作が行われたと判定し、所定期間を超えていない場合には短期間操作が行われたと判定する操作判定手段と、操作判定手段が長期間操作が行われたと判定した場合に、通知手段を所定の第１期間動作させ、操作判定手段が短期間操作が行われたと判定した場合に、通知手段を第１期間より短い所定の第２期間動作させることにより通知を行うユーザ通知手段とを備えたことを特徴とする。
【００１０】
本発明による操作通知方法は、入力デバイスに対する操作を検知すると操作信号を出力し、操作信号を出力している期間が所定期間以上である場合に長期間操作が行われたと判定し、所定期間を超えていない場合には短期間操作が行われたと判定し、長期間操作が行われたと判定した場合に、通知手段を所定の第１期間動作させ、短期間操作が行われたと判定した場合に、通知手段を第１期間より短い所定の第２期間動作させることにより通知を行うことを特徴とする。
【００１１】
本発明による操作通知プログラムは、携帯端末装置に搭載されたコンピュータに、入力デバイスに対する操作を検知すると操作信号を出力する処理と、操作信号を出力している期間が所定期間以上である場合に長期間操作が行われたと判定し、所定期間を超えていない場合には短期間操作が行われたと判定する処理と、長期間操作が行われたと判定した場合に、通知手段を所定の第１期間動作させ、短期間操作が行われたと判定した場合に、通知手段を第１期間より短い所定の第２期間動作させることにより通知を行う処理とを実行させることを特徴とする。
【発明の効果】
【００１２】
本発明によれば、ユーザが入力デバイスに対して行った操作が長押し操作として受け付けられたのか短押し操作として受け付けられたのかを、ユーザが容易に把握できるようになる。
【図面の簡単な説明】
【００１３】
【図１】本発明による携帯端末装置の第１の実施形態（実施形態１）の回路構成を示すブロック図である。
【図２】図１に示す携帯端末装置の正面図である。
【図３】入力デバイスに対する操作に対応した処理を示すフローチャートである。
【図４】本発明による携帯端末装置の第２の実施形態（実施形態２）の回路構成を示すブロック図である。
【図５】本発明による携帯端末装置の主要部を示すブロック図である。
【発明を実施するための形態】
【００１４】
実施形態１．
図１は、本発明による携帯端末装置の第１の実施形態（実施形態１）の回路構成を示すブロック図である。図２は、図１に示す携帯端末装置の正面図である。図２には、携帯端末装置の一例である携帯電話機が示されている。図１および図２を参照して、携帯電話機１０の構成を説明する。
【００１５】
携帯電話機１０は、中央処理装置（ＣＰＵ）２０を搭載している。ＣＰＵ２０は、携帯電話機１０の構成要素の制御を行う装置である。ＣＰＵ２０は、バス３０を介して、入力部４０、表示制御部５０、送受信部６０、レシーバ７０、振動デバイス８０、作業用メモリ９０、不揮発メモリ１００、ＲＯＭ１１０、スピーカ１２０およびマイクロフォン１３０と接続されている。なお、入力部４０には入力デバイス４１および入力デバイス４２が接続され、表示制御部５０には表示部５１が接続されている。
【００１６】
入力部４０は、入力デバイス４１および入力デバイス４２に対する操作を検知して操作信号を出力する回路である。入力デバイス４１は、図２に示すように、携帯電話機１０の前面に配置されている。入力デバイス４１を、表示部５１上に配置してもよい。入力デバイス４１は、ユーザが触れるだけで操作を行うことができるタッチパネルまたはタッチセンサである。入力デバイス４２は、図２に示すように、携帯電話機１０の前面に配置されている。入力デバイス４２は、ユーザが押下することによって操作を行うことができるボタンである。
【００１７】
表示制御部５０は、表示部５１の表示を制御する制御回路である。表示部５１は、図２に示すように、携帯電話機１０の前面に配置されている。表示部５１は、白黒表示またはカラー表示を行う液晶パネルまたは有機ＥＬ等の表示装置である。
【００１８】
送受信部６０は、無線回線を介して呼の発着信や電子メールの送受信等を行う回路である。レシーバ７０は、通話時に通話相手の音声を出力する装置である。振動デバイス８０は、モータまたは圧電素子を用いたバイブレータ等の振動可能な装置である。振動デバイス８０は、着呼時、電子メールの受信時または入力デバイス４１の操作時等に、ＣＰＵ２０の制御に従って振動する。
【００１９】
作業用メモリ９０は、ＣＰＵ２０がプログラムを実行する際に使用するデータを一時的に格納するＲＡＭである。不揮発メモリ１００は、データの消去および書き込みを自由に行うことができるメモリであり、電力が供給されなくても格納内容を保持可能な半導体メモリである。不揮発メモリ１００は、電話帳データ、各種設定値、および送受信メール等のユーザデータを格納する。ＲＯＭ１１０は、ＣＰＵ２０が実行する各種の制御用プログラム等の固定的なデータを格納するメモリである。
【００２０】
スピーカ１２０は、着信音、音声および確認音等を出力する装置である。マイクロフォン１３０は、通話中に音声を送話する装置である。
【００２１】
次に、長押し操作と判定されたのか短押し操作と判定されたのかをユーザに認識させる処理を説明する。図３は、長押し操作と判定されたのか短押し操作と判定されたのかをユーザに認識させる処理を示すフローチャートである。なお、本実施形態の携帯端末装置では、ユーザによって入力デバイス４１に対して長押し操作がなされたときと短押し操作がなされたときとで、異なる操作がなされたと判断される。
【００２２】
ＣＰＵ２０は、入力デバイス４１に対する操作を待つ（ステップＳ１１）。ＣＰＵ２０は、入力部４０から操作信号によって入力デバイス４１に対する操作を検知すると、入力デバイス４１に対する操作が長押し操作であるか否かを判定する（ステップＳ１２）。例えば、ＣＰＵ２０は、操作を検知して出力される操作信号の出力期間が１．０秒以上である場合には、入力デバイス４１に対する操作を長押し操作であると判定するとする。具体的には、ＣＰＵ２０は、操作信号が出力開始されたことを検知するとタイマを起動し、操作信号の停止時におけるタイマの値が１．０秒以上に相当する値であった場合に長押し操作がなされたと判定する。
【００２３】
ステップＳ１２において、入力デバイス４１に対する操作が長押し操作であると判定した場合には、ＣＰＵ２０は、振動デバイス８０を所定の長時間（例えば、０．５秒間）振動させる（ステップＳ１３）。ステップＳ１２において、入力部４０が、入力デバイス４１に対する操作が長押し操作ではない（短押し操作である）と判定した場合には、ＣＰＵ２０は、振動デバイス８０を所定の短時間（例えば、０．１秒間）振動させる（ステップＳ１４）。
【００２４】
なお、長押し操作と短押し操作とを区別するためのしきい値としての時間を他の時間にしてもよい。また、携帯電話機１０が長押し操作または短押し操作のどちらの操作を受け付けたのかをユーザが判断できる程度の時間差が付けられていれば、各々の振動デバイス８０の振動時間として他の振動時間を用いてもよい。さらに、しきい値としての時間および振動時間をユーザが設定可能であるようにしてもよい。
【００２５】
このような携帯端末装置では、タッチパネルまたはタッチセンサの入力デバイスに対する操作を検知した際に、長押し操作と短押し操作とで振動デバイスを振動させる時間を変化させるので、ユーザは、ユーザが入力デバイスに対して行った操作が長押し操作として受け付けられたのか短押し操作として受け付けられたのかを、容易に確認することができる。
【００２６】
また、ＣＰＵ２０は、入力デバイス４１に対する操作を長押し操作と判定したときと短押し操作判定したときとで振動デバイス８０の振動パターンに差をつけた制御を行ってもよい。振動パターンとは、例えば、所定期間における振動の強弱の変化の仕方である。強弱の変化の仕方には、変化しないこと（強さが一定であること）も含まれる。さらに、ＣＰＵ２０は、振動時間に差をつける制御と振動パターンに差をつける制御とを組み合わせてもよい。
【００２７】
実施形態２．
図４は、本発明による携帯端末装置の第２の実施形態（実施形態２）の回路構成を示すブロック図である。図４を参照して、第２の実施形態の携帯端末装置として携帯電話機１１の構成を説明する。携帯電話機１１の構成は、図１に示された第１の実施形態の携帯電話機１０の構成に、発光デバイス１４０が追加された構成である。
【００２８】
発光デバイス１４０は、発光ダイオードまたは有機ＥＬ等の発光装置である。発光デバイス１４０は、ＣＰＵ２０の制御に従って、発光する時間を変えたり発光する色を変えたりする。
【００２９】
第１の実施形態の携帯電話機１０では、振動デバイス８０を、入力デバイス４１に対する操作の種類（長押し操作／短押し操作）に応じた振動時間の間振動させたが、第２の実施形態の携帯電話機１１では、長押し操作流されたときと短押し操作がなされたときとで、発光デバイス１４０の発光の仕方を異ならせる。
【００３０】
例えば、ＣＰＵ２０は、入力デバイス４１からの操作信号の出力期間が１．０秒以上である場合には、入力デバイス４１に対する操作が長押し操作であると判定する。また、ＣＰＵ２０は、操作信号の出力期間が１．０秒間未満である場合には、入力デバイス４１に対する操作が短押し操作と判定するとする。入力部４０が、入力デバイス４１に対する操作が長押し操作であると判定した場合には、ＣＰＵ２０は、発光デバイス１４０を所定の長時間（例えば、０．５秒間）発光させる。また、入力デバイス４１に対する操作を短押し操作であると判定した場合には、ＣＰＵ２０は、発光デバイス１４０を所定の短時間（例えば、０．１秒間）発光させる。
【００３１】
なお、長押し操作と短押し操作とを区別するためのしきい値としての時間を、他の時間にしてもよい。また、携帯電話機１０が長押し操作または短押し操作のどちらの操作を受け付けたのかをユーザが判断できる程度の時間差が付けられていれば、各々の発光デバイス１４０の発光時間として他の発光時間を用いてもよい。さらに、しきい値としての時間および発光時間をユーザが設定可能であるようにしてもよい。
【００３２】
また、ＣＰＵ２０は、発光デバイス１４０の発光時間に差を付けるのではなく、発光させる色に差を付けてもよい。例えば、入力デバイス４１に対する長押し操作を受け付けたときには発光デバイス１４０を黄色で発光させ、入力デバイス４１に対する短押し操作を受け付けたときには発光デバイス１４０を青色で発光させる。さらに、ＣＰＵ２０は、発光時間と発光色とを組み合わせた制御を行ってもよい。
【００３３】
第２の実施形態の携帯端末装置では、タッチパネルまたはタッチセンサの入力デバイスに対する操作を検知した際に、長押し操作と短押し操作とで発光デバイスを発光させるパターンを変化させるので、ユーザは、ユーザが入力デバイスに対して行った操作が長押し操作として受け付けられたのか短押し操作として受け付けられたのかを視覚的に確認することができる。
【００３４】
また、携帯電話機１１のＣＰＵ２０は、入力デバイス４１からの長押し操作または短押し操作による入力に応じて、第１の実施形態における振動デバイス８０の制御と第２の実施形態における発光デバイス１４０の制御とをともに実行してもよい。そのような携帯端末装置では、タッチパネルまたはタッチセンサの入力デバイスに対する操作を検知した際に、ユーザは、触覚的に、かつ視覚的に確認できる。従って、ユーザが入力デバイスに対して行った操作が長押し操作として受け付けられたのか短押し操作として受け付けられたのかをさらに容易に確認することができる。
【００３５】
第１の実施形態および第２の実施形態の携帯端末装置では、触れるだけで入力操作が可能なタッチパネルまたはタッチセンサ等のデバイスである入力デバイス４１に対する操作における長押し操作／短押し操作について説明を行ったが、図１の入力デバイス４２に示されたような押下式のボタンにに対する長押し操作／短押し操作についても、第１の実施形態および第２の実施形態と同様に、振動デバイスや発光デバイスを用いて、ユーザに、長押し操作を受け付けたのか短押し操作を受け付けたのかを知らせるようにしてもよい。
【００３６】
図５は、本発明による携帯端末装置の主要部を示すブロック図である。図５に示すように、携帯端末装置１（例えば、図１に示す携帯電話機１０に相当）は、入力デバイス２（例えば、図１に示す入力デバイス４１に相当）に対する操作を検知すると操作信号を出力する入力検知手段３（例えば、図１に示す入力部４０に相当）と、入力検知手段３が操作信号を出力している期間が所定期間以上である場合に長期間操作（例えば、長押し操作）が行われたと判定し、所定期間を超えていない場合には短期間操作（例えば、短押し操作）が行われたと判定する操作判定手段４（例えば、図１に示すＣＰＵ２０に相当）と、操作判定手段４が長期間操作が行われたと判定した場合に、通知手段５（例えば、図１に示す振動デバイス８０や図４に示す発光デバイス１４０に相当）を所定の第１期間（例えば、０．５秒間）動作させ、操作判定手段４が短期間操作が行われたと判定した場合に、通知手段５を第１期間より短い所定の第２期間（例えば、０．１秒間）動作させることにより通知を行うユーザ通知手段６（例えば、図１に示すＣＰＵ２０に相当）とを備えたことを特徴とする。このような携帯端末装置では、ユーザは、ユーザが入力デバイスに対して行った操作が長押し操作として受け付けられたことを確認することができ、操作ミスの見逃しを軽減してキー入力の効率を向上させることができる。
【００３７】
また、上記の各実施形態の携帯端末装置には、以下の（１）〜（５）に示すような携帯端末装置も表示されている。
【００３８】
（１）通知手段は振動デバイスであり、ユーザ通知手段は、操作判定手段が長期間操作が行われたと判定した場合に、振動デバイスを第１期間振動させ、操作判定手段が短期間操作が行われたと判定した場合に、振動デバイスを第２期間振動させる携帯端末装置（例えば、ステップＳ１３またはＳ１４の動作によって実現される。）。そのように構成された携帯端末装置では、ユーザは、入力デバイスに対して行った操作が長押し操作として受け付けられたのか短押し操作として受け付けられたのかを触覚で容易に確認することができる。
【００３９】
（２）通知手段は振動デバイスであり、ユーザ通知手段は、操作判定手段が長期間操作が行われたと判定した場合と短期間操作が行われたと判定した場合とで、振動デバイスの振動態様（例えば、振動パターン）を異ならせる携帯端末装置（例えば、第１の実施形態の振動パターンに差をつけた制御の説明に示した動作によって実現される。）。そのように構成された携帯端末装置では、ユーザは、入力デバイスに対して行った操作が長押し操作として受け付けられたのか短押し操作として受け付けられたのかを触覚で容易に確認することができる。
【００４０】
（３）通知手段は発光デバイスであり、ユーザ通知手段は、操作判定手段が長期間操作が行われたと判定した場合に、発光デバイスを第１期間発光させ、操作判定手段が短期間操作が行われたと判定した場合に、発光デバイスを第２期間発光させる携帯端末装置。そのように構成された携帯端末装置では、ユーザは、入力デバイスに対して行った操作が長押し操作として受け付けられたのか短押し操作として受け付けられたのかを視覚的に確認することができる。
【００４１】
（４）通知手段は発光デバイスであり、ユーザ通知手段は、操作判定手段が長期間操作が行われたと判定した場合と短期間操作が行われたと判定した場合とで、発光デバイスの発光態様（例えば、発光色）を異ならせる携帯端末装置。そのように構成された携帯端末装置では、ユーザは、入力デバイスに対して行った操作が長押し操作として受け付けられたのか短押し操作として受け付けられたのかを視覚的に確認することができる。
【００４２】
（５）入力デバイスはタッチパネルまたはタッチセンサである（例えば、図２に示す入力デバイス４１に相当）携帯端末装置。そのように構成された携帯端末装置では、ユーザは、キー入力の効率を向上させるタッチ式の入力デバイスにおける長押し操作を確認することができるので、操作ミスの見逃しを軽減してキー入力の効率を向上させることができる。
【産業上の利用可能性】
【００４３】
本発明を、携帯電話機、ＰＨＳ（Personal Handy phone System）およびＰＤＡ（Personal Digital Assistant）等の携帯可能な通信端末装置に適用できる。
【符号の説明】
【００４４】
１    携帯端末装置
２    入力デバイス
３    入力検知手段
４    操作判定手段
５    通知手段
６    ユーザ通知手段
１０、１１  携帯電話機
２０  ＣＰＵ
３０  バス
４０  入力部
４１、４２  入力デバイス
５０  表示制御部
５１  表示部
６０  送受信部
７０  レシーバ
８０  振動デバイス
９０  作業用メモリ
１００  不揮発メモリ
１１０  ＲＯＭ
１２０  スピーカ
１３０  マイクロフォン
１４０  発光デバイス
【図１】
2014239548.tif 000003
【図２】
2014239548.tif 000004
【図３】
2014239548.tif 000005
【図４】
2014239548.tif 000006
【図５】
2014239548.tif 000007